(57)【要約】【課題】  ペーパーサポートを省略しても、紙ジャムを防止でき、かつ紙送り機構のコンパクト化が図れる記録装置を提供する。【解決手段】  トラクタ２７１により搬送される連続紙の搬送方向を変更して当該連続紙を記録部に送りだす紙案内部４０１を備えた記録装置において、紙案内部４０１に、初期セッティング時の連続紙の先端を案内する紙すくい形状部４０３を形成し、この紙すくい形状部４０３をトラクタ２７１側に延出させて少なくともトラクタ軸２７３よりも低い位置Ａに終端させたものである。【選択図】      図６
2006232483.tif 000002
【特許請求の範囲】
【請求項１】
トラクタにより搬送される連続紙の搬送方向を変更して当該連続紙を記録部に送りだす紙案内部を備えた記録装置において、
前記紙案内部に、初期セッティング時の連続紙の先端を案内する紙すくい形状部を形成し、この紙すくい形状部をトラクタ側に延出させて少なくともトラクタ軸よりも低い位置に終端させたことを特徴とする記録装置。
【請求項２】
前記トラクタと協働するスプロケットホイールと、当該ホイールのピンに対向する紙案内レールとを連続紙の幅方向に移動自在に設け、
前記紙すくい形状部を紙案内レールの裏面に延出させたことを特徴とする請求項１記載の記録装置。
【請求項３】
初期セッティング時に紙すくい形状部に当接する連続紙の先端上面と、紙すくい形状部とのなす角度が鈍角になるように、紙すくい形状部を形成したことを特徴とする請求項１又は２記載の記録装置。
【請求項４】
前記トラクタが、水平ローディングタイプであることを特徴とする請求項１乃至３のいずれか一項記載の記録装置。
【発明の詳細な説明】
【技術分野】
【０００１】
本発明は、連続紙を搬送するトラクタを備えた記録装置に関する。
【背景技術】
【０００２】
一般に、トラクタにより搬送される連続紙の搬送方向を変更して当該連続紙を記録部に送りだす紙案内部を備えた記録装置が知られている。
この種のものでは、トラクタから紙案内部に向けて連続紙を安定供給するため、トラクタと紙案内部間にスプロケットホイールを設ける場合がある。この場合、トラクタピンから外れた連続紙の孔に、スプロケットホイールのピンを係合し、このスプロケットホイールにより紙案内部に向けて連続紙を送りだす。この構成では、給紙時の紙ジャムが抑制される（例えば、特許文献１）。
【特許文献１】特開平１１−３４４１８号公報
【発明の開示】
【発明が解決しようとする課題】
【０００３】
しかしながら、従来の構成では、初期セッティング時における連続紙の先端をすくうために、トラクタと紙案内部との間の低い位置に、連続紙の橋渡しとしてのペーパーサポートが必要になり、その分、部品点数が増すと共に、紙送り機構の長さ寸法が大きくなるといった課題があった。
【０００４】
そこで、本発明の目的は、上述した従来の技術が有する課題を解消し、ペーパーサポートを省略しても、紙ジャムを防止でき、かつ紙送り機構のコンパクト化が図れる記録装置を提供することにある。
【課題を解決するための手段】
【０００５】
上記目的を達成するため、本発明は、トラクタにより搬送される連続紙の搬送方向を変更して当該連続紙を記録部に送りだす紙案内部を備えた記録装置において、前記紙案内部に、初期セッティング時の連続紙の先端を案内する紙すくい形状部を形成し、この紙すくい形状部をトラクタ側に延出させて少なくともトラクタ軸よりも低い位置に終端させたことを特徴とするものである。
【０００６】
本発明では、紙案内部の紙すくい形状部をトラクタ側に延出させて、少なくともトラクタ軸よりも低い位置に終端させているため、連続紙の初期セッティング時において、給紙される連続紙の先端が、自重で下方に垂れ下がっても、その先端が紙すくい形状部ですくわれて、安定供給される。
【０００７】
この場合において、前記トラクタと協働するスプロケットホイールと、当該ホイールのピンに対向する紙案内レールとを連続紙の幅方向に移動自在に設け、前記紙すくい形状部を紙案内レールの裏面に延出させたものであってもよい。
この発明では、トラクタとの協働によりスプロケットホイールで連続紙を送るため、紙案内部に連続紙を安定して送り込める。
【０００８】
また、初期セッティング時に紙すくい形状部に当接した連続紙の先端の上面と、紙すくい形状部とのなす角度が鈍角になるように、紙すくい形状部が形成されていてもよい。この場合、トラクタで給紙される連続紙の先端が、その自重で下方に垂れ下がっても、その先端が、紙すくい形状部に鈍角に当たることで、トラクタにより搬送される連続紙は、紙すくい形状部で安定的にすくわれる。
【０００９】
また、前記トラクタが、水平ローディングタイプであってもよい。
この場合、連続紙の先端は供給時に自重でかなり垂れる可能性があるが、紙すくい形状部で安定的にすくわれ、紙ジャムが防止される。
【発明の効果】
【００１０】
本発明では、紙案内部の紙すくい形状部を、トラクタ側に延出させて、少なくともトラクタ軸よりも低い位置に終端させているため、連続紙の初期セッティング時に、トラクタで給紙される連続紙の先端が、自重で下方に垂れ下がっても、紙すくい形状部ですくわれ、安定供給され、紙ジャムが抑制される。
この場合、紙案内部の紙すくい形状部を、トラクタに接近させることにより、紙送り機構のコンパクト化が図られる。
【発明を実施するための最良の形態】
【００１１】
以下、図面を参照して本発明の実施の形態について説明する。
図１は、本発明を適用した一実施形態に係るドットインパクトプリンタ１０の外観斜視図であり、図２は、ドットインパクトプリンタ１０の背面図である。また、図３は、ドットインパクトプリンタ１０が内蔵する記録機構部２０の構成を示す斜視図であり、図４は、図３のＡ−Ａ´線における記録機構部２０の断面図である。
【００１２】
ドットインパクトプリンタ１０は、複数の記録ワイヤを打ち出す記録ヘッド３０により、記録媒体の記録面に対して、インクリボンを介して記録ワイヤを打ち出すことによって文字を含む画像を記録するものである。
なお、本実施形態では、上記記録媒体として連続紙を用いた例について説明するが、このプリンタ１０は、これ以外の単票紙や、複写紙や、或いはＯＨＰシート等にも記録が可能に構成されている。
【００１３】
図１に示すように、ドットインパクトプリンタ１０は、上部ケース１１及び下部ケース１２からなる略箱形の外装を有し、この外装に記録機構部２０（図３）を内蔵する。上部ケース１１の上面前部には上面カバー１３が配設され、リボンカートリッジを記録機構部２０に装着する際等に上方に開かれる。上部ケース１１の前面下部には、記録機構部２０に連続紙を供給するためのフロント給紙口１１１が開口する。フロント給紙口１１１の上には、前方に開く前面カバー１５が配設され、前面カバー１５を開けて記録機構部２０に連続紙をセットできる。
【００１４】
また、図１及び図２に示すように、上部ケース１１には、上部ケース１１の後部から背面にかけて連続する上背面カバー１４が配設される。上背面カバー１４は、記録機構部２０のメンテナンス時等に、上部ケース１１の後方に向けて開放される。上背面カバー１４の背面には、図２に示すように、記録後の連続紙が吐き出される排紙口１１３が開口する。さらに、上部ケース１１の背面において、上背面カバー１４の下には、記録機構部２０に連続紙を供給するためのリア給紙口１１２が開口する。
【００１５】
また、下部ケース１２の背面下部にはＩ／Ｆカバー１６が配設される。Ｉ／Ｆカバー１６の内側には、ドットインパクトプリンタ１０をコンピュータ等の各種機器に接続するためのコネクタ（図示略）が配設されており、Ｉ／Ｆカバー１６を開けて、上記コネクタにケーブルを接続する等の作業を行えるようになっている。
【００１６】
また、図１に示すように、上部ケース１１の前面上部には操作パネル１２１が配設される。この操作パネル１２１は、ドットインパクトプリンタ１０の動作に係る各種設定を行うためのスイッチ類、動作状態を報知するインジケータ及び液晶ディスプレイパネル等を備える。下部ケース１２の前面の隅には、ドットインパクトプリンタ１０の電源をＯＮ／ＯＦＦするスイッチ１２２が配される。また、図２に示すように、下部ケース１２の背面には、ドットインパクトプリンタ１０に電源を供給するための電源コネクタ１２３が配設される。
【００１７】
次に、記録機構部２０の構成について説明する。
図３及び図４に示すように、記録機構部２０は、本体フレームとしての右サイドフレーム２１、左サイドフレーム２２、フロントフレーム２３及びベースフレーム２４を備える。この本体フレームには、記録ヘッド３０と、記録ヘッド３０を載置するキャリッジ２８と、フロント側から記録ヘッド３０に対して連続紙を供給するフロント給紙機構２６と、リア側から記録ヘッド３０に対して連続紙を供給するリア給紙機構２７と、フロント給紙機構２６及びリア給紙機構２７により供給された連続紙を、記録ヘッド３０に向けて搬送する搬送機構３４と、記録ヘッド３０による記録済みの連続紙を、排紙口１１３に向けて排出する排紙機構３５と、リボンカートリッジ（図示略）を駆動するリボン駆動ユニット３７とが配設される。
【００１８】
右サイドフレーム２１及び左サイドフレーム２２は、記録機構部２０の両端部において互いに対向するよう立設され、この右サイドフレーム２１と左サイドフレーム２２との間に、フロントフレーム２３及びベースフレーム２４が架け渡される。フロントフレーム２３は記録機構部２０のフロント側に位置し、ベースフレーム２４は記録機構部２０の下部のリア側に位置する。
【００１９】
フロント給紙機構２６は、図３に示すように、記録機構部２０の前面下部に配設されたフロント給紙台２６１と、右サイドフレーム２１と左サイドフレーム２２との間に平行に架け渡されたトラクタ支持軸２６３及びトラクタ駆動軸２６４と、左右一対のフロントトラクタ２６２と、各フロントトラクタ２６２に一体に取り付けられたフロントトラクタカバー２６６とを備える。
【００２０】
フロント給紙台２６１は、記録機構部２０の前面のほぼ下端部から斜め上に延びる面を有し、この面により、フロント給紙口１１１（図１）から挿入された連続紙を下方から支持する。フロント給紙台２６１の上方には、トラクタ支持軸２６３及びトラクタ駆動軸２６４が配設され、これらトラクタ支持軸２６３及びトラクタ駆動軸２６４に、左右一対のフロントトラクタ２６２が挿通される。
【００２１】
フロントトラクタ２６２は各々平面部を有し、この平面部がフロント給紙台２６１の面に連なるよう配設される。また、フロントトラクタ２６２は、複数のピン２６５を有するトラクタベルト（図示略）を備える。トラクタベルトはトラクタ支持軸２６３とトラクタ駆動軸２６４とに架けられ、搬送モータ（図示略）によってトラクタ駆動軸２６４が駆動されることにより回転し、ピン２６５を下方から上方へ移動させる。ピン２６５は、フロントトラクタ２６２の平面部から露出し、連続紙の幅方向両端部に穿設された孔に係合する。そして、トラクタベルトの回転によりピン２６５が移動すると、連続紙が、上方すなわち記録ヘッド３０側へ搬送される。
【００２２】
また、フロントトラクタ２６２には、フロントトラクタ２６２の平面部に対して垂直に延びるフロントトラクタカバー２６６が取り付けられる。フロントトラクタカバー２６６は、フロントトラクタ２６２により搬送される連続紙の側端に接して、連続紙の幅方向の位置を規制する。上述のように、フロントトラクタカバー２６６はフロントトラクタ２６２と一体となって、トラクタ支持軸２６３及びトラクタ駆動軸２６４の軸方向に沿って移動可能であるから、連続紙を記録機構部２０にセットする際に、フロントトラクタカバー２６６の位置が、連続紙の側端に接するように調整される。
【００２３】
一方、リア給紙機構２７は、図４に示すように、右サイドフレーム２１と左サイドフレーム２２との間に平行に架け渡されたトラクタ支持軸２７２及びトラクタ駆動軸２７３と、左右一対のリアトラクタ２７１と、各リアトラクタ２７１に一体に取り付けられたリアトラクタカバー２７５と、リアトラクタ２７１の奥に配設されたリアスプロケットホイール２７６とを備えて構成される。
【００２４】
記録機構部２０のリア側においては、ベースフレーム２４の一部２４ａが、リア給紙口１１２（図２）に対応する位置で平面に形成されており、この平面により、リア給紙口１１２から挿入された連続紙が下方から支持される。そして、このベースフレーム２４に並べてトラクタ支持軸２７２及びトラクタ駆動軸２７３が配設され、これらトラクタ支持軸２７２及びトラクタ駆動軸２７３に、２個のリアトラクタ２７１が挿通される。リアトラクタ２７１は平面部を有し、この平面部が、ベースフレーム２４がなす平面に連なるように配設される。
【００２５】
また、リアトラクタ２７１は、複数のピン２７４を有するトラクタベルト（図示略）を備え、このトラクタベルトはトラクタ支持軸２７２とトラクタ駆動軸２７３とに架けられており、搬送モータ（図示略）によってトラクタ駆動軸２７３が駆動されることにより回転する。ピン２７４はリアトラクタ２７１の平面部に露出しており、連続紙の幅方向両端部に穿設された穴に係合する。そして、トラクタベルトの回転によりピン２７４が略水平方向に移動し、連続紙がフロント側へ搬送される。
すなわち、このリアトラクタ２７１は、連続紙をリアから水平方向に給紙する水平ローディングタイプのトラクタである。
【００２６】
このリアトラクタ２７１の下流（フロント側）には、リアスプロケットホイール２７６が配設される。このリアスプロケットホイール２７６は、右サイドフレーム２１と左サイドフレーム２２との間に架け渡された、断面略矩形のスプロケットホイール支持軸２７６ａに挿通され、連続紙の上方に位置する。リアスプロケットホイール２７６は、上記支持軸２７６ａが搬送モータ（図示略）により駆動されると、この支持軸２７６ａとともに回転する。リアスプロケットホイール２７６の円周面には複数のピン２７７が並んで突出しており、これらピン２７７は、リアトラクタ２７１から搬送された連続紙の孔に係合する。そして、リアスプロケットホイール２７６が回転することにより、連続紙の上方からピン２７７が連続紙の孔に係合し、連続紙が巻き上げられ、これにより、連続紙が記録ヘッド３０に向けて搬送される。
【００２７】
また、リアトラクタ２７１には、リアトラクタ２７１の平面部に対して垂直に延びるリアトラクタカバー２７５が取り付けられる。リアトラクタカバー２７５は、リアトラクタ２７１により搬送される連続紙の側端部に接して、連続紙の幅方向の位置を規制する。上述のように、リアトラクタカバー２７５はリアトラクタ２７１と一体となって、トラクタ支持軸２７２及びトラクタ駆動軸２７３の軸方向に沿って移動可能である。連続紙を記録機構部２０にセットする際に、リアトラクタカバー２７５の位置が、連続紙の端に接するように調整される。
【００２８】
リアトラクタ２７１、及びリアスプロケットホイール２７６により搬送される連続紙は、搬送機構３４に進入する。この搬送機構３４は、連続紙の裏面に当接する第１搬送ローラ３４１と、連続紙を介して第１搬送ローラ３４１に対向する第２搬送ローラ３４２と、第２搬送ローラ３４２を軸支する第２搬送ローラ軸３４３と、記録ヘッド３０に対向して配設されたプラテン３１とを備えて構成されている。
【００２９】
第１搬送ローラ３４１はリアスプロケットホイール２７６の上方に配設され、連続紙の裏面に当接する。この第１搬送ローラ３４１に対して、連続紙を挟んで対向する位置に、第２搬送ローラ軸３４３が配設される。この第２搬送ローラ軸３４３は、右サイドフレーム２１と左サイドフレーム２２との間に回転自在に架け渡され、その軸には、複数の第２搬送ローラ３４２が挿通されている。第２搬送ローラ軸３４３は、ローラ開閉モータ（図示略）の動作によって所定の範囲内で移動可能であり、ローラ開閉モータが開動作を行うと、第２搬送ローラ３４２は第１搬送ローラ３４１から離隔され、ローラ開閉モータが閉動作を行うと、第２搬送ローラ３４２は第１搬送ローラ３４１に向けて付勢される。
【００３０】
そして、上記ローラ開閉モータが閉動作を行うことで、連続紙が第１搬送ローラ３４１と第２搬送ローラ３４２との間に挟まれて支持される。第１搬送ローラ３４１は搬送モータ（図示略）及び駆動輪列部３３（図３）により駆動され、第１搬送ローラ３４１が回転することにより、第１搬送ローラ３４１と第２搬送ローラ３４２に挟まれた連続紙が、上方すなわち記録ヘッド３０側へ搬送される。
【００３１】
キャリッジ２８は、右サイドフレーム２１と左サイドフレーム２２との間に架け渡されたキャリッジ軸２９に挿通される。キャリッジ２８には、キャリッジ駆動モータ３２（図３）とキャリッジ駆動プーリ（図示略）とに架けられたベルトが装着され、キャリッジ駆動モータ３２とキャリッジ駆動プーリの動作によってベルトが駆動されると、キャリッジ軸２９に沿って移動する。
【００３２】
キャリッジ２８には、記録ヘッド３０が搭載される。記録ヘッド３０は、搬送機構３４の上方において連続紙の記録面に対向し、連続紙の記録面と記録ヘッド３０との間には、リボンカートリッジ（図示略）のインクリボンが配設される。そして、記録ヘッド３０から連続紙の記録面に向けて記録ワイヤ（図示略）を打ち出すことにより、連続紙の記録面にインクが付着し、文字を含む画像が記録される。
【００３３】
記録ヘッド３０に対向する位置においては、連続紙の裏面側に、プラテン３１が配設される。このプラテン３１は、連続紙に接する部分が平面状に形成された平プラテンであり、この平面において、記録ヘッド３０から突出する記録ワイヤの突出力を支持する。プラテン３１は、連続紙に対して垂直な方向に移動可能に構成され、ばね（図示略）によって連続紙に向けて付勢される。ここで、記録ヘッド３０及びプラテン３１は、連続紙に画像を記録する記録部を構成する。
【００３４】
また、キャリッジ２８はギャップ調整モータ（図示略）を搭載する。このギャップ調整モータの動作により、記録ヘッド３０と、連続紙及びプラテン３１との間のプラテンギャップが適宜調整される。
【００３５】
排紙機構３５は、記録ヘッド３０の下流に位置し、記録ヘッド３０により記録された連続紙に裏側から当接する第１排紙ローラ３５１と、右サイドフレーム２１から左サイドフレーム２２にかけて配設された可動フレーム３５３と、可動フレーム３５３を支持する可動軸３５４及びユニット支持軸３５５と、可動フレーム３５３と左サイドフレーム２２とに跨って組み付けられたばね３５６と、可動フレーム３５３に固定された複数の排紙ローラユニット３５７と、排紙ローラユニット３５７に組み付けられた第２排紙ローラ３５８とを備えて構成される。
【００３６】
第１排紙ローラ３５１は、記録ヘッド３０の上方において連続紙の裏面に当接し、搬送モータ６７（図１５）及び駆動輪列部３３により駆動されて回転する。この第１排紙ローラ３５１に対して、連続紙を介して対向する位置に、可動軸３５４及びユニット支持軸３５５が配設される。可動軸３５４及びユニット支持軸３５５は、右サイドフレーム２１と左サイドフレーム２２との間に架け渡され、ユニット支持軸３５５は右サイドフレーム２１及び左サイドフレーム２２に固定される。一方、可動軸３５４は、ユニット支持軸３５５を中心として円を描くように移動可能である。また、可動フレーム３５３は、可動軸３５４及びユニット支持軸３５５に固定され、可動軸３５４とともに移動可能である。可動フレーム３５３には、可動軸３５４及びユニット支持軸３５５の軸方向に沿って並ぶ複数の排紙ローラユニット３５７が取り付けられる。この排紙ローラユニット３５７には、それぞれ、ユニット支持軸３５５から離隔した位置に、第２排紙ローラ３５８が組み付けられている。
【００３７】
可動フレーム３５３は、左サイドフレーム２２との間に架け渡されたばね３５６によって、ユニット支持軸３５５を中心に第１排紙ローラ３５１に近づく方向に付勢される。このため、排紙ローラユニット３５７が有する第２排紙ローラ３５８は、第１排紙ローラ３５１に押しつけられる方向に付勢され、この付勢力により、連続紙が第１排紙ローラ３５１と第２排紙ローラ３５８との間に挟まれる。
【００３８】
なお、可動軸３５４は、ローラ開閉モータ（図示略）の動作によって、ばね３５６の付勢力に抗して移動される。すなわち、ローラ開閉モータが開動作を行うと、ローラ開閉モータの駆動力によって、可動軸３５４がばね３５６の付勢力に抗して移動し、第２排紙ローラ３５８が第１排紙ローラ３５１から離隔する。また、ローラ開閉モータが駆動力を解放すると、ばね３５６の付勢力によって、第２排紙ローラ３５８が第１排紙ローラ３５１に押しつけられる。
【００３９】
図５は、リアトラクタ２７１の周辺構成を示す。なお、ここでは、左側のリアトラクタ２７１の図示を省略している。リアトラクタ２７１は、上述したように、トラクタ支持軸２７２とトラクタ駆動軸２７３とに架けられ、リアスプロケットホイール２７６はスプロケットホイール支持軸２７６ａに挿通され、このスプロケットホイール支持軸２７６ａ、トラクタ支持軸２７２、及びトラクタ駆動軸２７３は、右サイドフレーム２１と左サイドフレーム２２との間に架け渡されている。
【００４０】
リアトラクタ２７１には、図６に示すように、スプロケットホイール２７６の紙案内面２７６ｂに対向する湾曲した紙案内レール２７１ａが一体に取り付けられている。この紙案内レール２７１ａの先端２７１ｂは、リアスプロケットホイール２７６の外周間に連続紙が通る隙間をあけて、その外周を囲うように延出し、リアスプロケットホイール２７６と協働して連続紙を、略９０°真上に方向転換させて下流の記録部に送りだす。なお、左側のリアトラクタ２７１に対しても、図示は省略したが、略同様の構成の紙案内レールが取り付けられている。
【００４１】
図５に示すように、リアトラクタ２７１、リアスプロケットホイール２７６、及び紙案内レール２７１ａは一体となって、スプロケットホイール支持軸２７６ａ、トラクタ支持軸２７２、及びトラクタ駆動軸２７３の軸方向に沿って移動可能である。そして、連続紙を記録機構部２０にセットする際には、リアトラクタ２７１、リアスプロケットホイール２７６、及び紙案内レール２７１ａの位置が、セットされる連続紙の幅方向の端位置に対応して調整される。
【００４２】
本構成では、リアスプロケットホイール２７６の直後に、連続紙の搬送方向を変更する紙案内部４０１が設けられている。ここで、連続紙の初期セッティング時には、例えば一対のリアトラクタ２７１間寸法Ｌが、連続紙Ｒの幅寸法に比べて短すぎた場合等に、図５のように、連続紙Ｒの先端の両端以外の中央部ＲＴが垂れ下がって送られる。この紙案内部４０１は、その中央部ＲＴが大きく垂れ下がった時でも、紙送り時に、その垂れ下がった中央部ＲＴをすくい上げる、図６に示す紙すくい形状部４０３を備え、すくい上げた連続紙を、略９０°真上に方向転換させる。この紙案内部４０１は、ベースフレーム２４に取り付けられている。
【００４３】
紙すくい形状部４０３は、リアスプロケットホイール２７６、及び紙案内レール２７１ａを一体的に軸方向に移動させた場合でも、それらと干渉しないように、下縁部４０３ａを、当該ホイール２７６の下半部の外周を囲うように延出させて、上記リアトラクタ２７１に接近している。そして、下縁部４０３ａはリアトラクタ２７１のトラクタ駆動軸２７３よりも低い位置Ａに終端する。
【００４４】
この紙案内部４０１には、図５に示すように、幅方向に等間隔で、複数の縦リブ４０７が形成されている。これら縦リブ４０７は、図６に示すように、それぞれ高さがその下流側の部分４０７ａで高く、この部分４０７ａは、上記案内板２７１ａの先端２７１ｂの外周を囲う形状で延出し、上流側の部分４０７ｂでは高さが低く、この部分４０７ｂは、紙すくい形状部４０３の下縁部４０３ａと略同形状で延出し、終端の位置Ａでは下縁部４０３ａに一致している。この構成により、リアトラクタ２７１、リアスプロケットホイール２７６、及び紙案内レール２７１ａを一体に軸方向に移動させた場合でも、これらと縦リブ４０７との干渉が回避される。
【００４５】
本構成では、図５に示すように、リアトラクタ２７１に連続紙をセットして、この連続紙を記録部に送る場合、連続紙Ｒの先端の両端はリアスプロケットホイール２７６、及び紙案内レール２７１ａにより案内されて送られ、両端以外の中央部ＲＴは自重により垂れ下がって送られる。垂れ下がった連続紙Ｒの中央部ＲＴは、図６に破線で示すように、紙すくい形状部４０３の縦リブ４０７に当接し、この縦リブ４０７の低い部分４０７ｂですくわれて、搬送方向を真上に変更して記録部に送られる。ここで、紙すくい形状部４０３は、初期セッティング時に紙すくい形状部４０３（低い部分４０７ｂ）に当接する連続紙の先端上面と、紙すくい形状部４０３（低い部分４０７ｂ）とのなす角度θが鈍角になるように形成されている。この角度θが鋭角では、連続紙Ｒの中央部ＲＴが縦リブ４０７に当接した場合、低い部分４０７ｂではすくわれず、連続紙が真下に搬送されて紙ジャムが発生するからである。
【００４６】
本実施形態では、紙すくい形状部４０３をリアトラクタ２７１側に延出させて、少なくともトラクタ軸２７３よりも低い位置Ａに終端させているため、連続紙の初期セッティング時において、給紙される連続紙の先端が、自重で下方に垂れ下がっても、その先端が紙すくい形状部４０３ですくわれて、安定供給される。従って、連続紙の橋渡しとしての従来のペーパーサポートが不要になり、その分、部品点数減少し、及び紙送り機構の長さ寸法Ｌ（図６）を小さくできる。また、本構成では、トラクタ２７１との協働によりスプロケットホイール２７６で連続紙を送るため、紙案内部４０１に連続紙を安定して送り込める。トラクタ２７１が、水平ローディングタイプであるため、連続紙の先端は供給時に自重でかなり垂れる可能性があるが、紙すくい形状部４０３で安定的にすくわれ、紙ジャムが防止される等の効果が得られる。
【００４７】
以上、一実施形態に基づいて説明したが、本発明は、スプロケットホイール２７６が必須のものではなく、スプロケットホイールが配置されていないタイプの記録装置にも適用が可能である。
【図面の簡単な説明】
【００４８】
【図１】本発明の一実施形態に係る記録装置の外観を示す正面斜視図である。
【図２】記録装置を後から見た平面図である。
【図３】記録機構部の斜視図である。
【図４】図３のＡ−Ａ断面図である。
【図５】リアトラクタの周辺部を示す斜視図である。
【図６】リアトラクタの断面図である。
【符号の説明】
【００４９】
１０  ドットインパクトプリンタ（記録装置）
２７１  リアトラクタ
２７１ａ  紙案内レール
２７３  トラクタ駆動軸
２７６  リアスプロケットホイール
４０１  紙案内部
４０３  紙すくい形状部
４０７  縦リブ
【図１】
2006232483.tif 000003
【図２】
2006232483.tif 000004
【図３】
2006232483.tif 000005
【図４】
2006232483.tif 000006
【図５】
2006232483.tif 000007
【図６】
2006232483.tif 000008